(57)【要約】  複数の指のための複数の溝を有する、開けるのが容易なボトルである。
2010526737.tif 000002
【特許請求の範囲】
【請求項１】
開けるのが容易なボトルであって、
閉じた底から上方に延びる側壁と、
前記ボトルの前記底に対向する端に遠位端を有するネックと、
前記ネックの前記遠位端にあって外側にらせんねじを有する開口と、
前記側壁の実質的に鉛直上方に延びる複数の指溝と
を含むボトル。
【請求項２】
前記指溝は、ユーザの指を収容するべくなだらかに形成される、請求項１に記載のボトル。
【請求項３】
前記指溝は、強固な握力を及ぼして前記溝内の前記指の側面により付加的なひねり力を与える機会をユーザが得るのに十分な寸法を有する、請求項２に記載のボトル。
【請求項４】
前記溝は、前記底の周縁を取り囲み、前記底にわたって延びる、請求項１に記載のボトル。
【請求項５】
前記溝は、前記底の周縁を取り囲み、前記底にわたって延びる、請求項２に記載のボトル。
【請求項６】
前記溝は、前記底の周縁を取り囲み、前記底にわたって延びる、請求項３に記載のボトル。
【請求項７】
前記溝は、前記ボトルの表面において約３．８ｍｍから約１２．７ｍｍ（約０．１５インチから約０．５インチ）の幅である、請求項１に記載のボトル。
【請求項８】
前記溝は、約２．５ｍｍから約１０．２ｍｍ（約０．１インチから約０．４インチ）の深さである、請求項１に記載のボトル。
【請求項９】
前記溝は、前記ボトルの表面において約３．８ｍｍから約１２．７ｍｍ（約０．１５インチから約０．５インチ）の幅である、請求項８に記載のボトル。
【請求項１０】
前記溝は、前記ボトルの表面において約３．８ｍｍから約１２．７ｍｍ（約０．１５インチから約０．５インチ）の幅である、請求項２に記載のボトル。
【請求項１１】
前記溝は、前記ボトルの表面において約３．８ｍｍから約１２．７ｍｍ（約０．１５インチから約０．５インチ）の幅である、請求項４に記載のボトル。
【請求項１２】
前記溝は、前記ボトルの表面において約３．８ｍｍから約１２．７ｍｍ（約０．１５インチから約０．５インチ）の幅である、請求項５に記載のボトル。
【請求項１３】
前記溝は、前記ボトルの表面において約３．８ｍｍから約１２．７ｍｍ（約０．１５インチから約０．５インチ）の幅である、請求項６に記載のボトル。
【請求項１４】
前記溝は、約２．５ｍｍから約１０．２ｍｍ（約０．１インチから約０．４インチ）の深さである、請求項２に記載のボトル。
【請求項１５】
前記溝は、約２．５ｍｍから約１０．２ｍｍ（約０．１インチから約０．４インチ）の深さである、請求項４に記載のボトル。
【請求項１６】
前記溝は、約２．５ｍｍから約１０．２ｍｍ（約０．１インチから約０．４インチ）の深さである、請求項５に記載のボトル。
【請求項１７】
前記溝は、約２．５ｍｍから約１０．２ｍｍ（約０．１インチから約０．４インチ）の深さである、請求項６に記載のボトル。
【請求項１８】
前記溝は、前記ボトルの表面において約３．８ｍｍから約１２．７ｍｍ（約０．１５インチから約０．５インチ）の幅である、請求項１４に記載のボトル。
【請求項１９】
前記溝は、前記ボトルの表面において約３．８ｍｍから約１２．７ｍｍ（約０．１５インチから約０．５インチ）の幅である、請求項１５に記載のボトル。
【請求項２０】
前記溝は、前記ボトルの表面において約３．８ｍｍから約１２．７ｍｍ（約０．１５インチから約０．５インチ）の幅である、請求項１７に記載のボトル。
【発明の詳細な説明】
【技術分野】
【０００１】
本発明は容器に関する。詳しくは、本発明は開けるのが容易なボトルに関する。
【背景技術】
【０００２】
容器の１つのタイプに、開口のまわりに外部らせんねじを有するボトルがある。典型的には、ボトルの封止具は、ボトル開口まわりの当該ねじと協働するねじを有するキャップである。したがって、キャップはボトルを封止するべくボトルにねじ込まれる。キャップが反対方向にねじられてキャップが外され、ボトルが開けられる。
【０００３】
取り外し可能な封止具を有するこのタイプのボトルは一般的であるが、かかるボトルが常に容易に開閉できるとは限らない。例えば、握力が弱い人には、典型的なねじ式ボトルキャップをひねることが難しい。また、薬剤特に薬物錠剤のための容器のような比較的小さなボトルを適切に握ることは難しいことが多い。同様に、例えば湿分又は油によりボトル又はキャップが滑りやすい場合には容器を保持することが難しい。したがって、ボトル及びキャップをしっかりと握ることができなければ、容器を開けることは難しい。
【０００４】
例えば特許文献１のようなツイストオフキャップを備えるボトルを開けるためのアクセサリが提案されている。同様に、ボトルの保持を容易にする様々なボトル形状が提案されている。例えば、特許文献２の高温充填可能ボトルは保持容易に設計されている。同様に、特許文献３のボトルは、上部に向けて狭めることで握るのを容易にしている。しかし、これらの設計は完全に満足できるものではない。したがって、開けるのが容易なボトルが依然として必要とされている。
【先行技術文献】
【特許文献】
【０００５】
【特許文献１】米国特許第５，９２１，１５４号明細書
【特許文献２】米国特許第７，１９１，９１０号明細書
【特許文献３】米国特許第５，１５６，２８５号明細書
【発明の概要】
【０００６】
第１実施例は、開けるのが容易なボトルに関する。
【０００７】
第２実施例は、複数の指溝を有する丸形ボトルに関する。
【０００８】
第３実施例は、ボトルの下方側壁に深い複数の指溝を有する丸形ボトルに関する。
【図面の簡単な説明】
【０００９】
【図１】ボトルの一実施例の側面図を示す。
【図２】図１に係る実施例の上面図を示す。
【図３】図１に係る実施例の底面図を示す。
【発明を実施するための形態】
【００１０】
本発明は開けるのが容易なボトルに関する。一実施例において、丸形ボトルが当該ボトルの側壁に複数の指溝を有する。他実施例において、丸形ボトルが下方側壁に深い複数の指溝を有する。
【００１１】
濡れて又は油が付いて滑りやすいボトルは開けるのが難しい。同様に、高齢、身体障害又はけがにより握る力が弱い人には、ボトルを開けるのが難しい。
【００１２】
本発明者は、指のための溝を有するボトルが容易に開けられることを発見した。本発明に係るボトルの実施例は丸形であり、その下方側壁には深い複数の指溝が設けられる。複数の溝により、ユーザの複数の指が当該溝に入る。人の複数の指を複数の溝に入れることができるので、対向する指と指との間の直径方向の握力が増す。また、人の複数の指を複数の溝に入れることができるので、複数の指の側面を使用して付加的な力を、キャップが取り外される回転に抵抗する方向に及ぼす機会が得られる。
【００１３】
図面は、本発明の一実施例を示す。図１は、本実施例の側面図である。ボトル１は、ネック３の遠位端に開口２を有し、ボトル１の反対側の端に閉端５を有する。ネック３の外側には、複数のらせんねじ４がある。ボトルの閉端５には、複数の指溝６が形成される。
【００１４】
複数の指溝６は、１つの指を収容するべくなだらかに形成される。指溝６は、当該指が当該溝内に十分深く配置される機会が得られ、かつ、強固な握力を及ぼして当該溝内に配置された当該指の側面により付加的なひねり力を与える機会が得られるような寸法を有する。複数の溝は、ボトルの側壁７上に実質的に鉛直方向に向けられ、底５から上方に延びる。しばしば、複数の溝は、ボトルの底の周縁を取り囲み、底５に向かって又は底５にわたってある程度延びる。しばしば、複数の溝は、ボトル表面において約３．８ｍｍから約１２．７ｍｍ（約０．１５インチから約０．５インチ）の幅であり、約２．５ｍｍから約１０．２ｍｍ（約０．１インチから約０．４インチ）の深さである。しばしば、複数の溝はボトル１の底５のまわりに延び、典型的には図１に示されるようにボトルの下方側面を上に延びる。複数の溝は、握りをより強固として力を及ぼすことが著しく容易となるようになだらかに形成される。
【００１５】
図２は、図１に示される実施例の上面図である。ボトル１は、ネック３の遠位端に開口２を有し、当該ネックの外側まわりに複数のらせんねじ４を有する。本図面には、複数の指溝５が明確に見える。
【００１６】
図３は、図１に示される実施例の底面図である。複数の指溝６が、図１のボトル１に係る実施例の本底面図に示される。複数の指溝６が、ボトル１の底５にわたってある程度延びることがわかる。
【００１７】
本発明の本実施例に係る複数の溝は、ユーザの複数の指を収容して当該指の側面がボトルを回すことに対する抵抗を与えることができるように、形状及びサイズを含めて設計される。したがって、これらの深い指溝は、ソフトドリンク又は水用ボトルのような他のボトルとは基本的に異なる。かかるボトルは、図面に示されるものと同様の幾何形状を有する。しかし、ソフトドリンク及び水のボトルは、異なる目的のためのくぼみ及び膨らみを有する。このため、かかるボトル上の当該くぼみ及び膨らみは、開口を容易にするべく設計されたものではない。むしろ、これらの膨らみ及びくぼみは、ボトルの強度を増すか又はボトルを鉛直に立てることを容易にするために設けられる。したがって、これらの形状は、複数の指に対する複数の溝の形状とは異なる。周知のソフトドリンク及び水のボトルの形状は、複数の指を収容して握りを向上させ、かつ、ボトルの開口を容易にすることを意図したものではない。当業者は、かかるボトルを調べてそれらを本明細書の図面と比べるだけで、当該意図的な違いにより生じる形状の違いがわかる。
【００１８】
指溝の数はしばしば、当該容器のサイズに関連する。例えば、図１に示されるボトルは６つの指溝を有する。６つの指溝は、約５０．８ｍｍから約６３．５ｍｍ（約２インチから約２．５インチ）の直径を有するボトルに容易に収容することができる。本明細書に与えられたガイダンスにより、当業者は、複数の指溝を配置して適切なサイズにすることができる。
【００１９】
ボトルは、当該ボトルが作られると知られる任意材料から形成することができる。本発明の実施例に係る複数の指溝は、ブロー、モールド、キャスト若しくは他の成形のいずれかによるプラスチック製、金属製又はガラス製のボトルに組み込むことができる。
【実施例１】
【００２０】
ボトルは、プラスチックからブロー成形された。ボトルは、５４．０ｍｍ（２．１２５インチ）の直径を有し、約６９．９ｍｍ（２．７５インチ）の全高を有していた。開口は、約３４．９ｍｍ（１．３７５インチ）の直径を有していた。ボトルは、当該ボトルのネックの外側にらせんねじを有する。鉛直側壁と底との間の曲率半径は１２．７ｍｍ（０．５インチ）であった。上面（すなわちボトル壁において）の最も広い部分において約１７．８ｍｍ（約０．７インチ）の幅を有する６つの指溝は側壁を鉛直上向きに延び、側壁から底にわたって中心に向かい約１７．８ｍｍ（約０．７インチ）であった。
【００２１】
本発明が、現在のところ好ましい本発明の実施方法を含む具体例に関して説明された。当業者には、添付の特許請求の範囲に記載された本発明の要旨及び範囲内に収まる上述のシステム及び技術の多数の変形及び置換が存在することがわかる。
【図１】
2010526737.tif 000003
【図２】
2010526737.tif 000004
【図３】
2010526737.tif 000005
【国際調査報告】
2010526737.tif 000006